(57)【要約】【課題】  符号分割多重処理を電気領域で行って、光信号の多重を行い、低コストな光送受信機を実現する。【解決手段】  光送信機１ａでは、電気データａをＰＮ系列発生器４ａで発生したＰＮ系列符号（電気信号）により拡散して得た拡散したデータａに対応した光信号と、電気データｂをＰＮ系列発生器４ｂで発生したＰＮ系列符号により拡散して得た拡散したデータｂに対応した光信号とを、重畳して出力する。光受信機２ａでは、拡散されたデータａを含む光信号をＰＮ系列発生器４ｃで発生したＰＮ系列符号により逆拡散してデータａを再生し、受信機２ｂでは、拡散されたデータｂを含む光信号をＰＮ系列発生器４ｄで発生したＰＮ系列符号により逆拡散してデータｂを再生する。このため、光信号は光ファイバ３ａ中を重畳して伝送されるが、データａは光受信機２ａで、データｂは光受信機２ｂにて認識再生される。【選択図】        図１
2006050359.tif 000002
【特許請求の範囲】
【請求項１】
符号分割多重アクセスの光送信機であって、
符号分割多重処理を行う少なくとも１組の光変調器と、
前記光変調器から出力された光信号を合波し、光送信機の外部へ出力する光カプラとを具備し、
前記光変調器は、
電気信号である疑似乱数を発生する疑似乱数発生器と、
送信される電気信号であるデータを前記疑似乱数で拡散し、拡散したデータを出力する拡散器と、
前記拡散器から出力された拡散したデータに対応した光信号を出力する発光素子とを具備することを特徴とする光送信機。
【請求項２】
符号分割多重アクセスの光受信機であって、
光伝送路から入力された光信号を所望の数の光復調器に分配する光カプラと、
前記光カプラから入力される光信号の符号分割多重処理を行う少なくとも１組の光復調器とを具備し、
前記光復調器は、
光信号を光電変換し、光信号に含まれている拡散されたデータを情報として有する電気信号を出力する受光素子と、
電気信号である疑似乱数を発生する疑似乱数発生器と、
受光素子から出力された電気信号を前記疑似乱数で逆拡散し、前記データを再生する逆拡散器とを具備することを特徴とする光受信機。
【請求項３】
符号分割多重アクセスの光トランシーバであって、
符号分割多重処理を行う少なくとも１組の光変調器と、
受信される光信号の符号分割多重処理を行う少なくとも１組の光復調器と、
光伝送路に対して前記光変調器と前記光復調器の光信号を合波し分配する光カプラと、を具備し、
前記光変調器は、
電気信号である疑似乱数を発生する疑似乱数発生器と、
送信される電気信号であるデータを前記疑似乱数で拡散し、拡散したデータを出力する拡散器と、
前記拡散器から出力された拡散したデータに対応した光信号を出力する発光素子とを具備し、
前記光復調器は、
光信号を光電変換し、光信号に含まれている拡散されたデータを情報として有する電気信号を出力する受光素子と、
電気信号である疑似乱数を発生する疑似乱数発生器と、
受光素子から出力された電気信号を前記疑似乱数で逆拡散し、前記データを再生する逆拡散器とを具備することを特徴とする光トランシーバ。
【請求項４】
請求項１における発光素子は、垂直共振器型面発光レーザダイオードであることを特徴とする光送信機。
【請求項５】
請求項１における発光素子は、共振キャビティ型発光ダイオードであることを特徴とする光送信機。
【請求項６】
請求項３における発光素子は、垂直共振器型面発光レーザダイオードであることを特徴とする光トランシーバ。
【請求項７】
請求項３における発光素子は、共振キャビティ型発光ダイオードであることを特徴とする光トランシーバ。
【請求項８】
少なくとも１つの請求項１における光送信機と、
少なくとも１つの請求項２における光受信機と、
前記光送信機と前記光受信機とを接続する光伝送路を具備することを特徴とする光伝送システム。
【請求項９】
少なくとも１つの請求項１における光送信機と、
少なくとも１つの請求項２における光受信機と、
前記光送信機と前記光受信機とを接続する光伝送路を具備し、
少なくとも１つの光送信機の疑似乱数発生器から発生する疑似乱数と、少なくとも１つの光受信機の疑似乱数発生器から発生する疑似乱数を同じにしていることを特徴とする光伝送システム。
【請求項１０】
少なくとも２つの請求項３における光トランシーバと、
前記光トランシーバを接続する光伝送路とを具備することを特徴とする光伝送システム。
【請求項１１】
少なくとも２つの請求項３における光トランシーバと、
前記光トランシーバを接続する光伝送路とを具備し、
１つの光トランシーバの疑似乱数発生器から発生する疑似乱数と、残りの光トランシーバのうちの少なくとも１つの光トランシーバの疑似乱数発生器から発生する疑似乱数を同じにしていることを特徴とする光伝送システム。
【発明の詳細な説明】
【技術分野】
【０００１】
本発明は、符号分割多重技術を採用した光送信機、光受信機、光トランシーバおよび光伝送システムに関するものである。
【背景技術】
【０００２】
ひとつの光伝送路で複数の光信号を伝送する方法として、波長分割多重（ＷＤＭ）が広く知られている。特許文献１を参照して、ＷＤＭ装置の構成と動作方法を説明する。図３（ａ），図３（ｂ）に従来のＷＤＭ光トランシーバの構成例を示す。図中、４０１はレーザダイオード（ＬＤ）、４０２はフォトダイオード（ＰＤ）、４０３は波長フィルタ、４０４は光導波路、４０６は光集積回路、４０８は電気アンプ、４１１は一心光ファイバ、４１２は光送受信モジュール、４１４は電気制御／インターフェース回路である。
【０００３】
図３（ａ）に示すように、ＷＤＭ光トランシーバは、相手機器あるいはネットワークに接続する一心光ファイバ４１１と光送受信モジュール４１２と電気制御／インターフェース回路４１４から構成される。
【０００４】
ＷＤＭ化を行う主たる部分は光送受信モジュール４１２であり、その詳細を図３（ｂ）に基づき説明する。一心光ファイバ４１１によって、外部と接続されている光集積回路４０６から光信号が送信されるとともに、外部からの光信号が受信される。光集積回路４０６はそのキーデバイスであり、その内部でＬＤ４０１、ＰＤ４０２、波長フィルタ４０３が光導波路４０４を介して接続されている。
【０００５】
すなわち、図３（ｂ）に示すように、送信の光信号はＬＤ４０１から送信され、受信の光信号はＰＤ４０２にて光電変換される。ここで、ＷＤＭ方式においては送信と受信で異なる波長の光を用いる。たとえば、送信の波長として１．３μｍが、受信の波長として１．５５μｍが使用される。波長多重を行うためには、なんらかの波長フィルタが必要なため、干渉膜を用いた波長フィルタ４０３が光集積回路４０６内で使用されている。ＰＤ４０２からの出力信号は、電気アンプ４０８で増幅される。
【０００６】
図３（ａ）の全体図に戻って説明する。電気アンプ４０８の出力信号は、電気制御／インターフェース回路４１４で処理された後、装置類へと出力される。したがって、ＷＤＭに基づく従来技術を用いれば１本の一心光ファイバ４１１で送受信の２種の光を伝送できることが分かる。
【０００７】
このＷＤＭを用いた多重技術にあっては、単に一心双方向通信の実現のためにも複数の波長の光源が必要である。光源の波長の管理および波長フィルタの波長の管理はともにやっかいな問題である。また、この構成の場合、一対向の装置であっても、送り（あるいは受け）の波長の違う装置を製作しなければならず、非効率である。
【０００８】
一方、光符号分割多重（ＯＣＤＭ）と呼ばれる技術も研究が進んでいる。携帯電話で使用されているＣＤＭを光通信に適用したものである。非特許文献１を参考にして、構成の例を図４に示す。図中、５０１ａ，５０１ｂは光源、５０２ａ，５０２ｂは光変調器、５０３ａ〜５０３ｃはトランスバーサル光フィルタ、５０４はＰＤ、５０５は識別器、５１０ａ，５１０ｂは光送信機、５１１は光ファイバ、５１２は光受信機である。
【０００９】
さて、光送信機５１０ａの中では、ＣＷ光（連続光）が光源５０１ａから出射される。ＣＷ光は光変調器５０２ａへと入力され、光変調器５０２ａへ入力される電気のデータａに変調される。ＯＣＤＭの処理は、その次に配置されたトランスバーサル光フィルタ５０３ａでなされる。トランスバーサル光フィルタ５０３ａはまず入って来た光パルスを複数のパルスにコピーし、そのそれぞれの光パルスに適当な遅延と適当な位相変化をおこすものである。これがＯＣＤＭである。
【００１０】
光送信機５１０ａから出射された光は、光ファイバ５１１を経て、光受信機５１２へと入射される。光受信機５１２では、トランスバーサル光フィルタ５０３ｃ、ＰＤ５０４、識別器５０５がカスケード接続されている。トランスバーサル光フィルタ５０３ｃは、光送信機５１０ａ内のトランスバーサル光フィルタ５０３ａと逆の遅延特性と位相特性を有するものである。したがって、すでにＯＣＤＭ化された光信号を元に戻すことができる。よって、トランスバーサル光フィルタ５０３ｃの出力は、次のＰＤ５０４で光電変換され、最後に識別器５０５で識別再生される。
【００１１】
光送信機５１０ａと並列に光送信機５１０ｂが接続されている。光送信機５１０ｂのトランスバーサル光フィルタ５０３ｂは、トランスバーサル光フィルタ５０３ａとは異なった遅延量と位相量を通過する光信号に与える。光送信機５１０ａと光受信機５１０ｂは、そのトランスバーサル光フィルタの遅延特性及び位相特性が異なるだけである。しかしながら、受け手となる光受信機５１２は、送り手のトランスバーサル光フィルタの特性が一致する信号しか識別再生することができない（光受信機５１２は、そのトランスバーサル光フィルタ５０３ｃの遅延特性及び位相特性に対して逆の遅延特性及び位相特性を有しているトランスバーサル光フィルタを有する光送信機から出力された信号した識別再生することができない。）。
【００１２】
よって、本構成の状態では、光送信機５１０ａ，５１０ｂの光信号が多重して伝送されているが、光受信機５１２では光送信機５１０ａの信号だけを受信することになる。もちろん、光受信機５１２のトランスバーサル光フィルタ５０３ｃを交換すれば、光受信機５１０ｂからの信号も識別可能である。
【００１３】
ＯＣＤＭにあっては、図３（ａ），図３（ｂ）に示すＷＤＭを用いた従来技術のように複数の波長の光源を用いる必要はない。しかしながら、その装置内で用いられるトランスバーサル光フィルタは、波長フィルタよりも複雑なもので同じ特性のものを一対製作するにも、大変高精度なフィルタ製作技術が必要となる。幹線ネットワークでは適用可能性があるが、コストの問題からアクセス系ネットワークや光ＬＡＮへの適用は困難である。
【００１４】
【特許文献１】特開２００４−９６７２０号公報
【非特許文献１】H.Sotabayashi and K.Kitayama, `1.24Gbit/s optical code division multiplexing transmission over 40km dispersion-shifted fibre by bipolar coding using broadband incoherent  light sourcc,' Electronics Letters, Vol,35,No.11,pp.911-913(1999)。
【発明の開示】
【発明が解決しようとする課題】
【００１５】
多重光伝送のうち代表的なＷＤＭ方式やＯＣＤＭ方式であるが、ＷＤＭ方式においては波長精度が高いことによって高コストとなる光源および波長フィルタが必須である。また、ＯＣＤＭ方式においても高コストなトランスバーサル光フィルタが必要である。さらに、両方式ともに、用いた光源、波長フィルタあるいはトランスバーサル光フィルタの分割のチャネルは固定であって、チャネル（波長や符号）を変更するには、それぞれの光部品そのものを交換する必要があり、転用が困難であった。
【００１６】
本発明は、上記従来技術に鑑み、携帯電話などで導入されている符号分割多重技術を電気処理で実現した上で、光信号に重畳する手段を導入することによって、低コストな光多重通信のための光送信機、光受信機、光トランシーバおよび光伝送システムを提供することを目的とする。
【課題を解決するための手段】
【００１７】
上記課題を解決する本発明は、以下の特徴を有する。
（１）  符号分割多重アクセスの光送信機であって、
符号分割多重処理を行う少なくとも１組の光変調器と、
前記光変調器から出力された光信号を合波し、光送信機の外部へ出力する光カプラとを具備し、
前記光変調器は、
電気信号である疑似乱数を発生する疑似乱数発生器と、
送信される電気信号であるデータを前記疑似乱数で拡散し、拡散したデータを出力する拡散器と、
前記拡散器から出力された拡散したデータに対応した光信号を出力する発光素子とを具備することを特徴とする光送信機。
【００１８】
（２）  符号分割多重アクセスの光受信機であって、
光伝送路から入力された光信号を所望の数の光復調器に分配する光カプラと、
前記光カプラから入力される光信号の符号分割多重処理を行う少なくとも１組の光復調器とを具備し、
前記光復調器は、
光信号を光電変換し、光信号に含まれている拡散されたデータを情報として有する電気信号を出力する受光素子と、
電気信号である疑似乱数を発生する疑似乱数発生器と、
受光素子から出力された電気信号を前記疑似乱数で逆拡散し、前記データを再生する逆拡散器とを具備することを特徴とする光受信機。
【００１９】
（３）  符号分割多重アクセスの光トランシーバであって、
符号分割多重処理を行う少なくとも１組の光変調器と、
受信される光信号の符号分割多重処理を行う少なくとも１組の光復調器と、
光伝送路に対して前記光変調器と前記光復調器の光信号を合波し分配する光カプラと、を具備し、
前記光変調器は、
電気信号である疑似乱数を発生する疑似乱数発生器と、
送信される電気信号であるデータを前記疑似乱数で拡散し、拡散したデータを出力する拡散器と、
前記拡散器から出力された拡散したデータに対応した光信号を出力する発光素子とを具備し、
前記光復調器は、
光信号を光電変換し、光信号に含まれている拡散されたデータを情報として有する電気信号を出力する受光素子と、
電気信号である疑似乱数を発生する疑似乱数発生器と、
受光素子から出力された電気信号を前記疑似乱数で逆拡散し、前記データを再生する逆拡散器とを具備することを特徴とする光トランシーバ。
【００２０】
（４）  上記（１）における発光素子は、垂直共振器型面発光レーザダイオードであることを特徴とする光送信機。
【００２１】
（５）  上記（１）における発光素子は、共振キャビティ型発光ダイオードであることを特徴とする光送信機。
【００２２】
（６）  上記（３）における発光素子は、垂直共振器型面発光レーザダイオードであることを特徴とする光トランシーバ。
【００２３】
（７）上記（３）における発光素子は、共振キャビティ型発光ダイオードであることを特徴とする光トランシーバ。
【００２４】
（８）少なくとも１つの上記（１）における光送信機と、
少なくとも１つの上記（２）における光受信機と、
前記光送信機と前記光受信機とを接続する光伝送路を具備することを特徴とする光伝送システム。
【００２５】
（９）  少なくとも１つの上記（１）における光送信機と、
少なくとも１つの上記（２）における光受信機と、
前記光送信機と前記光受信機とを接続する光伝送路を具備し、
少なくとも１つの光送信機の疑似乱数発生器から発生する疑似乱数と、少なくとも１つの光受信機の疑似乱数発生器から発生する疑似乱数を同じにしていることを特徴とする光伝送システム。
【００２６】
（１０）  少なくとも２つの上記（３）における光トランシーバと、
前記光トランシーバを接続する光伝送路とを具備することを特徴とする光伝送システム。
【００２７】
（１１）  少なくとも２つの上記（３）における光トランシーバと、
前記光トランシーバを接続する光伝送路とを具備し、
１つの光トランシーバの疑似乱数発生器から発生する疑似乱数と、残りの光トランシーバのうちの少なくとも１つの光トランシーバの疑似乱数発生器から発生する疑似乱数を同じにしていることを特徴とする光伝送システム。
【発明の効果】
【００２８】
本発明の光送受信機、光トランシーバおよび光伝送装置は、単一の光伝送路中に複数の光信号を多重して伝送することができる。符号多重を用い多重にかかわる処理を電気領域で行うため、低コストな部品や技術によって実現できる。したがって、全体のシステムも低価格なものとなり、アクセス系ネットワークや光ＬＡＮにも適用可能である。このため、低コストな光送受信機、光トランシーバおよび光伝送システムを提供することができる。
【発明を実施するための最良の形態】
【００２９】
以下に、本発明を実施するための最良の形態を、各実施例に基づき詳細に説明する。
【実施例１】
【００３０】
図１は実施例１を示す図である。図中、１ａは光送信機、２ａ，２ｂは光受信機、３ａ〜３ｃは光ファイバ、４ａ〜４ｄは疑似雑音（ＰＮ）系列発生器、５ａ，５ｂは拡散器、６ａ，６ｂは垂直共振器型面発光レーザダイオード（ＶＣＳＥＬ）、７ａ，７ｂはフォトダイオード（ＰＤ）、８ａ，８ｂは逆拡散器、９ａ，９ｂはカプラである。以下、詳細に説明する。
【００３１】
この光伝送装置（光伝送システム）では、１つの光送信機１ａから２種のデータ（データａとデータｂ）を情報として有する光信号が光ファイバ３ａに向けて送信され、２台の光受信機２ａ，２ｂにおいてそれぞれデータａとデータｂが受信される。光送信機１ａから出力された光信号は光ファイバ３ａへと入射され、カプラ９ｂにて２つの光ファイバ３ｂ，３ｃに分岐される。光ファイバ３ｂは光受信機２ａへと、光ファイバ３ｃは光受信機２ｂへと接続されている。したがって、データａとデータｂは重畳され、１本の光ファイバ３ａを経て、それぞれ光受信機２ａと光受信機２ｂで受信される。
【００３２】
さきに光送信機１ａの構成を説明する。光送信機１ａの上部（ＰＮ系列発生器４ａ，拡散器５ａ、ＶＣＳＥＬ６ａでなる光変調器）はデータａに対応し、下部（ＰＮ系列発生器４ｂ，拡散器５ｂ、ＶＣＳＥＬ６ｂでなる光変調器）はデータｂに対応する。
【００３３】
上部では、データａのための疑似雑音（ＰＮ）系列符号（請求項１記載の疑似乱数に相当）が、ＰＮ系列発生器４ａで生成される。電気信号であるデータａと電気信号であるＰＮ系列符号は乗算器として作用する拡散器５ａで乗算処理、すなわち拡散される。ここでは、データａのビットレート１５６Ｍｂｉｔ／ｓで、ＰＮのチップレートを１２４８Ｍチップ／ｓとした。拡散された電気信号は、ＶＣＳＥＬ６ａへと入力される。ＶＣＳＥＬ６ａは、拡散された電気信号により強度変調動作して、拡散された電気信号に応じた光信号を出力する。
【００３４】
なお、図１中では図示省略しているが、ＶＣＳＥＬ６ａにはバイアス電流を供給するための定電流源とバイアス回路が接続されている。ここで用いたＶＣＳＥＬ６ａの発振波長は８５０ｎｍ帯である。
【００３５】
光送信機１ａの下部のＰＮ系列発生器４ｂ，拡散器５ｂ，ＶＣＳＥＬ６ｂも上部と同じ働きをするが、ＰＮ系列発生器４ｂで生成される電気信号（疑似雑音系列符号）は、上部のＰＮ系列発生器４ａで生成される電気信号（疑似雑音系列符号）と異なり、かつ上部のＰＮ系列符号４ａで生成される電気信号（疑似雑音系列符号）と直交するものが選ばれている。上部と下部で変調された光信号は、カプラ９ａで合波され、光ファイバ３ａへと入力される。
【００３６】
このように、光送信機１ａでは、上部及び下部の光変調器とも、符号分割多重に係わる処理を電気領域で行っている。
【００３７】
この例のネットワークは簡単に、２つのデータａ，ｂを２ケ所の光受信機２ａ，２ｂで別々に受信するものである。光ファイバ３ａの光信号は、光受信機２ａ，２ｂの前に設置されたカプラ9 ｂで２つに分岐され、それぞれは光受信機２ａと光受信機２ｂに入力される。
【００３８】
光受信機２ａは、ＰＤ７ａとＰＮ系列発生器４ｃと逆拡散器８ａとでなる光復調器を有しており、光送信機１ａと逆の処理を行う。すなわち、まずフロントエンドのＰＤ７ａで光ファイバ３ｂを経て入力された光信号が電気信号に変換され、ＰＤ７ａから出力された電気信号は次段の逆拡散器８ａへ入力される。また、逆拡散器８ａにはＰＮ系列発生器４ｃから出力されたＰＮ系列符号（電気信号）も同時に入力される。ＰＮ系列発生器４ａとＰＮ系列発生器４ｃは、互いに同じ信号（ＰＮ系列符号）を発生するものとする。逆拡散器８ａは、拡散器５ａと同様に乗算器で構成されるが、ＰＤ７ａから出力された電気信号（拡散された電気信号）を逆拡散演算することにより、元のデータａに戻す機能がある。なお図１では図示省略したが、データａとＰＮ系列信号を同期再生するための同期回路も受信機２ａに含まれている。
【００３９】
光受信機２ｂは、光受信機２ａと並列に接続されており、ＰＤ７ｂとＰＮ系列発生器４ｄと逆拡散器８ｂとでなる光復調器を有しており、光受信機２ａと同様な構成になっている。しかしながら、ＰＮ系列発生器４ｄで生成されるＰＮ系列符号は、ＰＮ系列発生器４ｂで生成されるＰＮ系列符号と同じものである。したがって、光受信機２ｂではデータｂのみが再生される。
【００４０】
このように、光受信機２ａ，２ｂは共に、符号分割多重に係わる処理を電気領域で行っている。
【００４１】
上述したように、光受信機２ａではデータａのみが再生され、光受信機２ｂではデータｂのみが再生される。この結果、同じ波長の光を１本の光ファイバ中を伝送させても、これらの信号は正しく所望の光受信機のみで再生される。さらに、多重の手段として用いられるＰＮ系列発生器４ａ〜４ｄは簡単で低コストな電子部品で製作することができる。実施例１では、ポイント−ｔｏ−マルチポイントの一方向伝送の光伝送システムの例を示した。
【００４２】
実施例１では８５０ｎｍの短波長帯ＬＤによる構成を示したが、広く通信ネットワークで使用されている１．３μｍ帯あるいは１．５５μｍ帯のＬＤとＰＤを用いて構成した場合にも、良好な多重通信が可能であった。
また、垂直共振器型面発光レーザダイオード（ＶＣＳＥＬ）６ａ，６ｂの代わりに、共振キャビティ型発光ダイオードを用いることもできる。
【実施例２】
【００４３】
実施例２では、ポイント−ｔｏ−マルチポイントの双方向伝送の光伝送システムの例を示す。図２に実施例２の構成を示す。図中、３ｄ〜３ｆは光ファイバ、４ｅ〜４ｈはＰＮ系列発生器、５ｃ，５ｄは拡散器、７ｃ，７ｄはＰＤ、８ｃ，８ｄは逆拡散器、９ｃ，９ｄはカプラ、１１ａ〜１１ｃは光トランシーバ、１２ａ，１２ｂは共振キャビティ型発光ダイオード（ＲＣＬＥＤ）である。
【００４４】
３つの光トランシーバ１１ａ〜１１ｃが光ファイバ３ｄ〜３ｆを介して接続されている。光トランシーバ１１ａをホスト側として、光トランシーバ１１ｂ，１１ｃをクライアント側とするポイント−ｔｏ−マルチポイントのシステム例である。３つの光トランシーバ１１ａ〜１１ｃの構造は同一なので、光トランシーバ１１ａの説明で代表する。
【００４５】
光トランシーバ１１ａの中には２組の光送信機、光受信機対が含まれている。つまり、光トランシーバ１１ａは、ＰＮ系列発生器４ｅと拡散器５ｃとＲＣＬＥＤ１２ａからなる光変調器で構成した第１の光送信機と、ＰＮ系列発生器４ｇと拡散器５ｄとＲＣＬＥＤ１２ｂからなる光変調器で構成した第２の光送信機と、ＰＮ系列発生器４ｆと逆拡散器８ｃとＰＤ７ｃからなる光復調器で構成した第１の光受信機と、ＰＮ系列発生器４ｈと逆拡散器８ｄとＰＤ７ｄからなる光復調器で構成した第２の光受信機を有している。
【００４６】
第１の光送信機であり、データａを送信する部分は、ＰＮ系列発生器４ｅと拡散器５ｃとＲＣＬＥＤ１２ａで構成される。実施例１と同じ原理によって、電気信号であるデータａは、ＰＮ系列発生器４ｅで生成される電気信号であるＰＮ系列符号によって、拡散器５ｃにて拡散される。拡散された電気信号（拡散されたデータａ）は、ＲＣＬＥＤ１２ａに送られる。この拡散されたデータａは、ＲＣＬＥＤ１２ａで強度変調動作により、光信号に変換されたのち、カプラ９ｃを通って光ファイバ３ｄへと入射される。
【００４７】
光トランシーバ１１ｂの光受信機において、光トランシーバ１１ａのＰＮ系列発生器４ｅで生成されるＰＮ系列符号と同じＰＮ系列符号を用いて逆拡散演算をすることにより、光トランシーバ１１ｂにてデータａの識別再生をすることができる。
【００４８】
実施例２では、光源としてＲＣＬＥＤ１２ａを用いる。ＲＣＬＥＤは従来のＬＥＤと異なり、キャビティ構造をもつため放射角が狭く光ファイバとの結合効率がよく、さらに応答時間が短く、通信応用に適している。今回は波長８５０ｎｍ帯のＲＣＬＥＤを用いた。また、ＧＩ型マルチモード光ファイバを用いた。
【００４９】
光トランシーバ１１ａ内の第１の光受信機は、ＰＮ系列発生器４ｆとＰＤ７ｃと逆拡散器８ｃとから構成される。所望のデータｂを搬送する光信号は、光トランシーバ１１ｂから送られ、光ファイバ３ｅ、カプラ９ｄ、光ファイバ３ｄを経て、光トランシーバ１１ａへと届いたものである。届いた光信号はＰＤ７ｃで電気信号に変換される。ＰＮ系列発生器４ｆで発生されたＰＮ系列符号と、受信された電気信号は、逆拡散器８ｃで乗算（逆拡散演算）され、データｂとして識別再生される。このとき、光トランシーバ１１ｂにおいて、データｂを拡散するＰＮ系列符号は、この光トランシーバ１１ａのＰＮ系列発生器４ｆで発生するＰＮ系列符号と同じものにしている。
【００５０】
ＰＮ系列発生器のＰＮ系列符号以外は動作も構成も同様なので、説明を省略するが、光トランシーバ１１ａの下部（即ち、ＰＮ系列発生器４ｇと拡散器５ｄとＲＣＬＥＤ１２ｂで構成される第２の送信機と、ＰＤ７ｄと逆拡散器８ｄとＰＮ系列発生器４ｈから構成される第２の光受信機）では、データｃが光トランシーバ１１ｃ向けに送信され、光トランシーバ１１ｃからのデータｄが受信される。
【００５１】
このように、右向き（信号ａ，ｃ）と左向き（信号ｂ，ｄ）の４つの光信号が符号多重されて伝送される。本実施例のとおり、同一波長帯の光源を用いても符号多重により符号の一致する相手方との対では送受信でき、また符号の異なる相手方との対では送受信できない。
【００５２】
なお、共振キャビティ型発光ダイオード（ＲＣＬＥＤ）１２ａ，１２ｂの代わりに、垂直共振器型面発光レーザダイオードを用いることもできる。
【産業上の利用可能性】
【００５３】
本発明は、符号分割多重方式を利用することにより、単一の光伝送路中に複数の光信号を多重して伝送する技術分野に利用することができ、符号分割多重処理を電気領域で行うため低価格にて光送受信装置を実現することができる。
【図面の簡単な説明】
【００５４】
【図１】本発明の実施例１に係る光伝送システムを示す構成図。
【図２】本発明の実施例２に係る光伝送システムを示す構成図。
【図３（ａ）】ＷＤＭを利用した従来例を示す構成図。
【図３（ｂ）】ＷＤＭを利用した従来例を示す構成図。
【図４】ＯＣＤＭを利用した従来例を示す構成図。
【符号の説明】
【００５５】
１ａ  光送信機
２ａ，２ｂ  光受信機
３ａ〜３ｆ  光ファイバ
４ａ〜４ｈ  ＰＮ系列発生器
５ａ〜５ｄ  拡散器
６ａ，６ｂ  ＶＣＳＥＬ
７ａ〜７ｄ  ＰＤ
８ａ〜８ｄ  逆拡散器
９ａ〜９ｄ  カプラ
１１ａ〜１１ｃ  光トランシーバ
４０１  ＬＤ
４０２  ＰＤ
４０３  波長フィルタ
４０４  光導波路
４０６  光集積回路
４０８  電気アンプ
４１１  一心光ファイバ
４１２  光送受信モジュール
４１４  電気制御／インターフェース回路
５０１ａ，５０１ｂ  光源
５０２ａ，５０２ｂ  光変調器
５０３ａ〜５０３ｃ  トランスバーサル光フィルタ
５０４  ＰＤ
５０５  識別器
５１０ａ，５１０ｂ  光送信機
５１１  光ファイバ
５１２  光受信機
【図１】
2006050359.tif 000003
【図２】
2006050359.tif 000004
【図３（ａ）】
2006050359.tif 000005
【図３（ｂ）】
2006050359.tif 000006
【図４】
2006050359.tif 000007